(57)【要約】【課題】太陽光発電機能を有する防音壁を提供すること。【解決手段】本発明に係る太陽光発電機能を有する防音壁は、太陽光を受光して電気を発生させる手段を防音壁に内設し、それを用いて電気発生量を感知して最適な発電が行われるような姿勢にソーラーセルの姿勢を変えることにより、騒音の遮断を行うとともに、電気を生産し易くする他、新再生エネルギーの開発によりＣＯ２を画期的に低減させ、しかも、ソーラーセルの前面の方位角を感知することにより、ソーラーセルが取り付けられているスラットの角度を所定の時刻に最適化させ易くするためのものである。【選択図】図１
2011052533.tif 000002
【特許請求の範囲】
【請求項１】
２枚の透明板の周縁部を主枠体により囲繞してなる多数の防音部材が地面に立設される多数の支柱の間に介設される太陽光発電機能を有する防音壁において、
主枠体に内設される副枠体と、
前記副枠体に内設され、副枠体の上に回転自在に配設された駆動軸を回転させるモータと、
前記モータの回転力を伝達する動力伝達手段と、
２枚の透明板の間に上下に離間して配設され、前記動力伝達手段により伝達された動力により同時に回転される多数のスラットと、
多数のスラットの上部面にそれぞれ取り付けられる多数のソーラーセルと、
前記副枠体、モータ、動力伝達手段、スラット及びソーラーセルがそれぞれ内蔵される多数の防音部材と、
を備えてなる、太陽光発電機能を有する防音壁。
【請求項２】
前記防音部材に内設されているソーラーセルの電気を感知する発電量測定センサーが多数の防音部材にそれぞれ内設され、モータを制御してスラットの角度を調整する制御器が多数の防音部材にそれぞれ内設される、請求項１に記載の太陽光発電機能を有する防音壁。
【請求項３】
多数の防音部材に内設された全てのソーラーセルの電気を感知する単一の発電量測定センサー、および全てのモータを制御してスラットの角度を調整する制御器を備え、前記制御器が、前記発電量測定センサーからの信号を受信して全てのモータを一括して制御する、請求項１に記載の太陽光発電機能を有する防音壁。
【請求項４】
多数のソーラーセルから生産される電気を感知する発電量測定センサーが多数の防音部材にそれぞれ内設され、モータを制御してスラットの角度を調整する単一の制御器が多数の発電量測定センサーからの信号をそれぞれ受信して当該モータをそれぞれ制御する、請求項１に記載の太陽光発電機能を有する防音壁。
【請求項５】
前記制御器は、前記発電量測定センサーからの信号を受信して最大の発電量を算出し、且つ、リアルタイムにてモータを制御してスラットの角度を調整する、請求項２に記載の太陽光発電機能を有する防音壁。
【請求項６】
前記制御器は、前記発電量測定センサーからの信号を受信して最大の発電量を算出し、且つ、リアルタイムにてモータを制御してスラットの角度を調整する、請求項３に記載の太陽光発電機能を有する防音壁。
【請求項７】
前記制御器は、前記発電量測定センサーからの信号を受信して最大の発電量を算出し、且つ、リアルタイムにてモータを制御してスラットの角度を調整する、請求項４に記載の太陽光発電機能を有する防音壁。
【請求項８】
前記制御器は、前記発電量測定センサーからの信号を受信して時間帯別に最大の発電量を算出し、且つ、時間帯別にモータを制御してスラットの角度を調整する、請求項２に記載の太陽光発電機能を有する防音壁。
【請求項９】
前記制御器は、前記発電量測定センサーからの信号を受信して時間帯別に最大の発電量を算出し、且つ、時間帯別にモータを制御してスラットの角度を調整する、請求項３に記載の太陽光発電機能を有する防音壁。
【請求項１０】
前記制御器は、前記発電量測定センサーからの信号を受信して時間帯別に最大の発電量を算出し、且つ、時間帯別にモータを制御してスラットの角度を調整する、請求項４に記載の太陽光発電機能を有する防音壁。
【請求項１１】
全てのソーラーセルから生産される直流電気を交流電気に変えるインバーターを備えて、太陽光発電機能を有する防音壁の内部または外部に配設される電気電子機器に電気を供給する、請求項４に記載の太陽光発電機能を有する防音壁。
【請求項１２】
全てのソーラーセルから生産される直流電気を交流電気に変えるインバーターを備えて電力系統に電気を供給する、請求項１に記載の太陽光発電機能を有する防音壁。
【請求項１３】
一定の時間帯別、季節別、設置地域別にソーラーセルの最適な角度をプログラム化し、多数の防音部材に内蔵されたモータを個別的または全体的に制御してソーラーセルの角度を調整する制御器を備える、請求項１に記載の太陽光発電機能を有する防音壁。
【請求項１４】
前記動力伝達手段は、前記モータにより回転される駆動軸に多数のドラムが互いに離間して配設され、上下に離間している多数のスラットを支持・回転するスラット駆動コードの上端部が多数のドラムにそれぞれ巻取される、請求項１に記載の太陽光発電機能を有する防音壁。
【請求項１５】
前記動力伝達手段は、前記モータの回転数を減速する減速器が駆動軸に連結され、前記駆動軸の端部にピニオンが配設され、前記副枠体の側面に配設される従動ギアが多数のスラットの中心にそれぞれ配設されるスラット軸の端部にそれぞれ設置され、前記ピニオンおよび多数の従動ギアを挟んでピニオン及び従動ギアと噛み合う２つのラックが副枠体の側面に形成されるガイド部により上下に移動自在に支持される、請求項１に記載の太陽光発電機能を有する防音壁。
【請求項１６】
前記動力伝達手段は、前記モータの回転数を減速する減速器が駆動軸に連結され、前記駆動軸の端部に駆動ギアが配設され、前記副枠体の側面上部にアイドルギアが配設され、前記アイドルギアに主リンクが配設されるとともに、多数のスラットの中心にそれぞれ配設されるスラット軸の端部に副リンクがそれぞれ配設され、前記主リンクと多数の副リンクからなる多数のリンクの両端部の間に縦リンクがそれぞれ蝶着される、請求項１に記載の太陽光発電機能を有する防音壁。
【請求項１７】
前記防音部材の前面の位置及び方向を感知する方位角センサーが前記防音部材に配設され、前記制御器が、前記方位角センサーの信号に基づいて、防音部材の前面方向と位置に応じて太陽が移動する軌跡を算出して所定の時刻にモータを制御してスラットの姿勢を変える、請求項１に記載の太陽光発電機能を有する防音壁。
【請求項１８】
前記防音部材の周辺明暗を感知する照度センサーを備える、請求項１７に記載の太陽光発電機能を有する防音壁。
【請求項１９】
前記方位角センサー及び照度センサーを制御器と一体に形成する、請求項１８に記載の太陽光発電機能を有する防音壁。
【発明の詳細な説明】
【技術分野】
【０００１】
本発明は、道路において発生する騒音が道路の外部に伝わることを減らすための防音壁に係り、さらに詳しくは、騒音の遮断を行うとともに、電気を生産し易くする太陽光発電機能を有する防音壁に関する。
【背景技術】
【０００２】
一般に、車両が走行する道路において発生する騒音が極めて多大であるため、道路辺の両側には走行車両から発生する騒音が道路の外部に伝わることを防いで騒音を低減するための防音壁が設置される。
【０００３】
例えば、従来の防音壁は、厚手のパネルから製造されて騒音を効率よく遮断するような構造のものであるが、これには、車両搭乗者が道路外部の景観を眺めることができないという欠点がある。
【０００４】
また、従来の防音壁は、Ｈ字状断面を有する多数のＨビーム状の支柱が道路の周縁部の地面に互いに離間して立設され、多数の支柱と支柱との間に多数の防音部材が介設され、且つ、前記防音部材はレキサンシートまたはアクリルなどの薄いシングルシートの周縁部を主枠体により囲繞するような構造のものである。
【０００５】
しかしながら、上述の如き防音壁は、防音部材の透明板を介して道路外部の景観を眺め易いという見透かし性には優れているとはいえ、厚さが薄いため防音効果に劣っているという欠点がある。
【０００６】
特に、防音壁に照明装置などを設置することができるが、照明装置などに供給される電気を外部から引き込む必要があるという欠点がある。
【０００７】
このため、従来より、防音壁またはその周りに設置される照明装置などに電気を供給するための太陽光発電手段を有する防音壁に関する技術が提案されている（例えば、下記の特許文献参照）。
【０００８】
しかしながら、上述の如き技術は、防音壁の上部または前後面に太陽光発電手段を取り付けたものであるため、太陽光発電手段の構成要素であるソーラーセルが外部にそのまま露出されてしまう結果、道路において発生する塵埃などによりソーラーセルの発電効率が低下するだけではなく、外部への露出によりソーラーセルなどの腐食及び破損が素早く進行する恐れがあるという欠点がある。
【０００９】
また、従来には、太陽光発電手段に太陽の位置を追跡する装置を取り付けて発電効率を高めるような技術が開発されているが、太陽の位置を追跡する装置を付設するため構造が極めて複雑になり、垂直空間には既存の太陽光集光板を絶対に施工することができない他、防音壁の設置場所に限界があり、しかも、既存の太陽光集光板はその形状からみて極めて危険であるため設置し得ないという欠点がある。
【先行技術文献】
【特許文献】
【００１０】
【特許文献１】大韓民国特許出願第１０−２００７−００７４２３３号公報
【特許文献２】大韓民国特許出願第１０−２００７−００７７３７３号公報
【特許文献３】大韓民国特許出願第１０−２００８−００８８６８９号公報
【特許文献４】大韓民国実用新案登録出願第２０−２００６−００２４０３８号公報
【発明の概要】
【発明が解決しようとする課題】
【００１１】
本発明は上記の如き従来の技術の問題点を解消するためになされたものであり、その目的は、太陽光を受光して電気を発生させる手段を防音壁に内設し、それを用いて電気発生量を感知して最適な発電が行われるような姿勢にソーラーセルの姿勢を変えることにより、騒音の遮断を行うとともに、電気を生産し易くする他、新再生エネルギーの開発によりＣＯ２を画期的に低減させる太陽光発電機能を有する防音壁を提供するところにある。
【００１２】
また、本発明の他の目的は、ソーラーセルの前面の方位角を感知することにより、ソーラーセルが取り付けられているスラットの角度を所定の時刻に最適化させ易い太陽光発電機能を有する防音壁を提供するところにある。
【課題を解決するための手段】
【００１３】
上記の目的を達成するために、本発明に係る太陽光発電機能を有する防音壁は、２枚の透明板の周縁部を主枠体により囲繞してなる多数の防音部材が地面に立設される多数の支柱の間に介設される太陽光発電機能を有する防音壁において、主枠体に内設される副枠体と、前記副枠体に内設され、副枠体の上に回転自在に配設された駆動軸を回転させるモータと、前記モータの回転力を伝達する動力伝達手段と、２枚の透明板の間に上下に離間して配設され、前記動力伝達手段により伝達された動力により同時に回転される多数のスラットと、多数のスラットの上部面にそれぞれ取り付けられる多数のソーラーセルと、前記副枠体、モータ、動力伝達手段、スラット及びソーラーセルがそれぞれ内蔵される多数の防音部材と、を備えてなる。
【００１４】
また、本発明に係る太陽光発電機能を有する防音壁においては、多数のソーラーセルから生産される電気を感知する発電量測定センサーが多数の防音部材にそれぞれ内設されるか、あるいは、単一の発電量測定センサーにより全てのソーラーセルの電気を感知し、制御器が前記発電量測定センサーからの信号を受信して防音部材に内設されているモータを個別的にまたは全体的に制御してスラットの角度を調整する。
【００１５】
さらに、本発明に係る太陽光発電機能を有する防音壁においては、太陽光が照らす防音壁の前面方向を感知する方位角センサーが防音部材の内外部または支柱に配設され、前記制御器がモータを制御して前記方位角センサーにより感知された方位角に応じてスラットの角度を所定の時刻に調整する。
【発明の効果】
【００１６】
本発明に係る太陽光発電機能を有する防音壁は、発電量を感知する発電量測定センサーの信号に基づいて制御器によりモータが制御されて太陽光を受光して電気を発生するソーラーセルが取り付けられているスラットの姿勢が変わることから、騒音が遮断されるとともに、電気が生産され易いというメリットがある。
【００１７】
また、２枚の透明板の間に電気を発生するソーラーセルなどが介設されることから、透明板の洗浄などの管理だけでソーラーセルの効率低下を防ぐことができてメンテナンスが極めて容易であり、太陽光発電機能を有する防音壁の外部にはみ出される構成要素がないため嵐や不意の車両追突により太陽光発電のための構成要素が破損し難いというメリットがある。
【００１８】
さらに、本発明は、制御器がモータを制御して方位角センサーにより感知された方位角に応じてスラットの角度を所定の時刻に調整することから、方位角センサーにおいて感知された測定値に基づいて防音部材の位置及び方向を基準として太陽が移動する軌跡をデータベース化したプログラムを制御器に内蔵して、季節と時間、防音壁の設置方向及び場所に対応してスラットとソーラーセルの傾きを効率よく調整することができる。
【図面の簡単な説明】
【００１９】
【図１】本発明に係る太陽光発電機能を有する防音壁の一部を抜粋して示す正面図である。
【図２】本発明に係る太陽光発電機能を有する防音壁に適用される防音部材を示す断面図である。
【図３】本発明に係る太陽光発電機能を有する防音壁の一例を示す構成図である。
【図４】本発明に係る太陽光発電機能を有する防音壁の他の例を示す構成図である。
【図５】本発明に係る太陽光発電機能を有する防音壁の他の例を示す構成図である。
【図６】本発明に係る太陽光発電機能を有する防音壁の他の例を示す構成図である。
【図７】本発明に係る太陽光発電機能を有する防音壁に適用される動力伝達手段の一例を説明する図である。
【図８】本発明に係る太陽光発電機能を有する防音壁に適用される動力伝達手段の一例を説明する図である。
【図９】本発明に係る太陽光発電機能を有する防音壁に適用される動力伝達手段の一例を説明する図である。
【図１０】本発明に係る太陽光発電機能を有する防音壁に適用される動力伝達手段の一例を説明する図である。
【図１１】本発明に係る太陽光発電機能を有する防音壁に適用される動力伝達手段の一例を説明する図である。
【図１２】本発明に係る太陽光発電機能を有する防音壁に適用される動力伝達手段の一例を説明する図である。
【図１３】本発明に係る太陽光発電機能を有する防音壁に適用される動力伝達手段の他の例を説明する図である。
【図１４】本発明に係る太陽光発電機能を有する防音壁に適用される動力伝達手段の他の例を説明する図である。
【図１５】本発明に係る太陽光発電機能を有する防音壁に適用される動力伝達手段の他の例を説明する図である。
【図１６】本発明に係る太陽光発電機能を有する防音壁に適用される動力伝達手段の他の例を説明する図である。
【図１７】本発明に係る太陽光発電機能を有する防音壁に適用される動力伝達手段の他の例を説明する図である。
【図１８】本発明に係る太陽光発電機能を有する防音壁に適用される動力伝達手段の他の例を説明する図である。
【図１９】本発明に係る太陽光発電機能を有する防音壁のさらに他の例を示す図である。
【図２０】本発明に係る太陽光発電機能を有する防音壁のさらに他の例を示す図である。
【発明を実施するための形態】
【００２０】
以下、添付図面に基づき、本発明に係る太陽光発電機能を有する防音壁の好適な実施形態を詳述する。なお、本明細書及び図面において、実質的に同一の機能構成を有する構成要素については、同一の符号を付することにより重複説明を省略する場合がある。
【００２１】
図１及び図２は、本発明に係る太陽光発電機能を有する防音壁の一実施形態を示す図である。同図に示すように、前記太陽光発電機能を有する防音壁は、２枚の透明板１ａの周縁部を主枠体１ｂにより囲繞してなる多数の防音部材１が地面に立設される多数の支柱２の間に介設されてなる。
【００２２】
そして、本発明に係る太陽光発電機能を有する防音壁には太陽光発電のための装置が内蔵されている。また、本発明に係る太陽光発電機能を有する防音壁は、前記主枠体１ｂの内側上部に副枠体１１が配設され、前記副枠体１１の内部には駆動軸１２を回転させるモータ１３が配設され、前記モータ１３と駆動軸１２の作動によりスラット駆動コード１４およびスラット１５並びにソーラーセル１６が前後に揺動され、前記副枠体１１、モータ１３、スラット駆動コード１４、スラット１５及びソーラーセル１６が多数の防音部材１にそれぞれ内設されている。
【００２３】
前記モータ１３は前記副枠体１１に内設され、前記副枠体１１に回転自在に内設される駆動軸１２を回転させる。
【００２４】
前記駆動軸１２の上には多数のドラム１２ａが互いに離間して配設され、前記スラット駆動コード１４は、紐、ワイヤー、ロープなどの細長いものから製造される。また、前記スラット駆動コード１４の両端部が前記ドラム１２ａの上に反対方向に取巻（もしくは、繰出）される。すなわち、スラット駆動コード１４の一方の端部がドラム１２ａに取巻されるときには他方の端部が繰出されて、前記スラット駆動コード１４に連結されている多数のスラット１５を、図１においては前後に、そして図２においては左右に揺動させる。
【００２５】
すなわち、この実施形態による太陽光発電機能を有する防音壁における動力伝達手段は、前記駆動軸１２上の多数のドラム１２ａと、これらの多数のスラット１５を同時に揺動させる２つのスラット駆動コード１４と、から構成され、前記スラット駆動コード１４により多数のスラット１５を囲繞しつつスラット駆動コード１４の上端部がドラム１２ａに取巻可能になる。
【００２６】
前記スラット１５は、前記スラット駆動コード１４により支持・回転されるものであり、前記モータ１３の作動によりスラット駆動コード１４がドラム１２ａにより作動するときに前後に揺動する。
【００２７】
前記ソーラーセル１６は、多数のスラット１５の上部面にそれぞれ取り付けられて太陽光を電気に変えるものであり、図２に示すように、透明合成樹脂または接着剤が塗布されており、図示はしないが、多数のスラット１５に取り付けられているソーラーセル１６が直列または並列に連結されるか、あるいは、直並列に連結される。
【００２８】
これらの副枠体１１、モータ１３、スラット駆動コード１４、スラット１５及びソーラーセル１６が多数の防音部材１にそれぞれ内設されるため、本発明は、多数の副枠体１１、多数のモータ１３、多数のスラット駆動コード１４、多数のスラット１５及び多数のソーラーセル１６から構成されていると言える。
【００２９】
図３に示すように、前記防音部材１に内設されているソーラーセル１６の電気を感知する発電量測定センサー２１が多数の防音部材１にそれぞれ内設され、前記モータ１３を制御してスラット１５とソーラーセル１６の角度を調整する制御器２２が多数の防音部材１にそれぞれ内設される。
【００３０】
図３から図６は、本発明に係る太陽光発電機能を有する防音壁の一例を示す構成図であり、前記発電量測定センサー２１及び制御器２２が防音部材１に外付けされることを示しているが、前記発電量測定センサー２１及び制御器２２が副枠体１１に内設されてもよく、防音部材１の主枠体１ｂの内側に配設されてもよい。
【００３１】
もちろん、前記発電量測定センサー２１及び制御器２２はコンパクトに形成されるものであるため、図示はしないが、ボックスなどに埋め込んで地面に配設してもよく、太陽光発電機能を有する防音壁に外付けしてもよい。
【００３２】
このような構成を有する発電量測定センサー２１及び制御器２２は多数の防音部材１にそれぞれ内設されるものであるため、多数の防音部材１内のモータを個別的に制御することができる。
【００３３】
図４に示すように、多数の防音部材１を有する太陽光発電機能を有する防音壁は、その全体に亘って配設されている全てのモータ１３を一括して制御するために、単一の発電量測定センサー２１及び制御器２２を備えていてもよい。
【００３４】
すなわち、この実施形態においては、多数の防音部材１に内設されている全てのソーラーセル１６の電気を感知する単一の発電量測定センサー２１と、全てのモータ１３を制御してスラット１５の角度を調整する制御器２２と、を備えるが、前記制御器２２が前記発電量測定センサー２１からの信号を受信して全てのモータ１３を一括して制御することができる。
【００３５】
図５に示すように、本発明に係る太陽光発電機能を有する防音壁は、単一の制御器２２により多数の発電量測定センサー２１からの信号を受信して多数のモータ１３を個別的に制御することができる。
【００３６】
すなわち、この実施形態による太陽光発電機能を有する防音壁は、連続的にまたは所定時間おきに多数のソーラーセル１６から生産される電気を感知する発電量測定センサー２１が多数の防音部材１にそれぞれ内設され、モータ１３を制御してスラット１５の角度を調整する単一の制御器２２が多数の発電量測定センサー２１からの信号をそれぞれ受信して当該モータ１３をそれぞれ制御するような構造のものであってもよい。
【００３７】
すると、前記制御器２２は、前記発電量測定センサー２１からの信号を受信して最大の発電量を算出してリアルタイムにてモータ１３を個別的にまたは全体的に制御することにより、スラット１５の角度を個別的にまたは全体的に調整することができる。
【００３８】
また、前記制御器２２は、前記発電量測定センサー２１からの信号を受信して時間帯別に最大の発電量を算出して時間帯別にモータ１３を個別的にまたは全体的に制御してスラット１５の角度を個別的にまたは全体的に調整することができる。
【００３９】
さらに、本発明に係る太陽光発電機能を有する防音壁においては、太陽光発電機能を有する防音壁に配設されている照明装置や太陽光発電機能を有する防音壁に外付けされる街灯などの電気電子機器（図示せず）に電気を供給することができるが、この場合には、現在の電気電子機器が交流により作動されるものであるため 、ソーラーセルから生産される直流を交流に変える必要がある。
【００４０】
このため、本発明に係る太陽光発電機能を有する防音壁は、図３から図６に示すように、全てのソーラーセル１６から生産される直流電気を交流電気に変えるインバーター２３を備えて、太陽光発電機能を有する防音壁の内外部に配設される電気電子機器に電気を供給するような構造のものであってもよい。
【００４１】
また、本発明に係る太陽光発電機能を有する防音壁は、図１及び図２の構成要素に全てのソーラーセルから生産される直流電気を交流電気に変えるインバーターを含めて、電力系統に電気を供給するような構造のものであってもよい。
【００４２】
もちろん、図６に示すように、前記発電量測定センサーなしに制御器だけでモータを制御して、一定の時間帯別、季節別、設置地域別にソーラーセルの最適な角度をプログラム化して多数の防音部材に内蔵されているモータを個別的にまたは全体的に制御してソーラーセルの角度を調整することもできる。
【００４３】
このような構成を有する本発明に係る太陽光発電機能を有する防音壁は、副枠体１１、モータ１３、スラット駆動コード１４、スラット１５及びソーラーセル１６が多数の防音部材１にそれぞれ内設されるものであるため、見かけ上は従来の防音壁と同じ構成を有するかのように見えるが、太陽光を電気に変える手段が付設されている。
【００４４】
特に、本発明に係る太陽光発電機能を有する防音壁は、多数のソーラーセル１６が透明板１ａを通過する太陽光を用いて電気を発生するものであり、透明板１ａの外部に付着した塵埃などを払拭するなどの管理だけでもソーラーセル１６の発電効率を容易に維持することができる。
【００４５】
いずれにせよ、太陽光が透明板１ａを通過してソーラーセル１６に達すると、ソーラーセル１６から電気が発生して制御器２２が作動可能な状態となり、制御器２２によりモータ１３が駆動され、モータ１３の駆動により駆動軸１２が回転してスラット１５の姿勢が変わる。
【００４６】
このとき、ソーラーセル１６から発生する電気の最大の発電量を発電量測定センサー２１が感知して制御器２２に信号を送信すると、前記制御器２２はモータ１３を制御して、スラット１５及びソーラーセル１６の姿勢を最大の電気量が発電されるような姿勢に変える。
【００４７】
また、前記制御器２２を用いてモータ１３を持続的に作動し続けると、モータ１３の寿命が短縮される恐れがあるため、制御器２２が一定の時間帯別にスラット１５とソーラーセル１６の姿勢を算出したデータに基づいて時間帯別にモータ１３を制御することもできるが、制御器２２にプログラムを内蔵して、一定の時間帯別、季節別、設置地域別にソーラーセルの最適な角度をプログラム化して多数の防音部材１に内蔵されているモータ１３を個別的にまたは全体的に制御してソーラーセルの角度を調整することもできる。
【００４８】
もちろん、上述した実施形態による太陽光発電機能を有する防音壁における動力伝達手段は、前記モータ１３により回転される駆動軸１２に多数のドラム１２ａが互いに離間して配設され、上下に離間している多数のスラット１５を支持・回転するスラット駆動コード１４の上端部が多数のドラム１２ａにそれぞれ取巻されるようになっている。
【００４９】
この種の動力伝達手段に加えて、他の方式の動力伝達手段により多数のスラット１５を揺動することができる。
【００５０】
すなわち、例えば、図７から図１２に示すように、前記動力伝達手段は、前記モータ１３の回転数を減速する減速器１３ａが駆動軸１２に連結され、前記駆動軸１２の端部にピニオン３１が配設され、前記副枠体１１の側面に配設される従動ギア３２が多数のスラット１５の中心にそれぞれ配設されるスラット軸１５ａの端部にそれぞれ配設され、一つのピニオン３１及び多数の従動ギア３２を挟んでピニオン３１及び従動ギア３２と噛み合う２つのラック３３が副枠体１１の側面に形成されるガイド部１１ａにより上下に移動自在に支持される。
【００５１】
このような動力伝達手段は、スラット１５にスラット軸１５ａが固定されるとともに、スラット軸１５ａに従動ギア３２が固定されるため、スラット軸１５ａが従動ギア３２に連れ回転することができ、これにより、ピニオン３１の回転により上下に移動するラック３３が多数の従動ギア３２を回転させてスラット軸１５ａとスラット１５を回転させる。
【００５２】
また、他の例として、図１３から図１８に示すように、前記動力伝達手段は、前記モータ１３の回転数を減速する減速器１３ａが駆動軸１２に連結され、前記駆動軸１２の端部に駆動ギア４１が配設され、前記副枠体１１の側面上部にアイドルギア４２が配設され、前記アイドルギア４２に主リンク４３が配設されるとともに、多数のスラット１５の中心にそれぞれ配設されるスラット軸１５ａの端部に副リンク４４がそれぞれ配設され、一つの主リンク４３と多数の副リンク４４からなる多数のリンクの両端部の間に縦リンク４５がそれぞれ蝶着される。
【００５３】
このような動力伝達手段は、主リンク４３がアイドルギア４２に固定され、スラット１５にスラット軸１５ａが固定されるとともに、スラット軸１５ａに副リンク４４が固定されるため、駆動ギア４１の回転によりアイドルギア４２と主リンク４３が回転され、前記主リンク４３の回転に伴い多数の縦リンク４５が移動しながら多数の副リンク４４、多数のスラット軸１５ａ及びスラット１５を回転させる。
【００５４】
上述したように、スラット軸１５ａとスラット１５が連動する構造は、スラット軸１５ａの上に配設されるスラット１５を、図８及び図１４に示すように分割形成することにより達成することができ、多数に分割形成されたスラット１５を使用する場合には、スラット軸１５ａの長さに応じて、スラット軸１５ａに取設されている多数のスラット１５の全体の大きさを簡単に調整することができる。
【００５５】
上述した動力伝達手段は、モータ１３により多数のスラット１５が回転することができて、スラット１５の上部面に取り付けられているソーラーセル１６が太陽の角度に応じてスムーズに電気を発生することができる。
【００５６】
そして、上記の制御器２２及び発電量測定センサー２１によりモータ１３を制御することができるので、これについての詳細な説明を省く。
【００５７】
一方、上記の発電量測定センサー２１を備えなくても、既にデータベース化された資料に基づいて時間帯別にスラット１５とソーラーセル１６の姿勢を制御する必要があり、本発明に係る太陽光発電機能を有する防音壁は、その姿勢と設置位置に応じて太陽の軌跡が異なってくる。
【００５８】
このため、本発明は、図１９及び図２０に示すように、前記防音部材１の前面の位置及び方向を感知する方位角センサー５１が前記防音部材１に配設され、前記制御器２２が前記方位角センサーの信号に基づいて防音部材１の前面方向と位置に応じて太陽の移動軌跡を算出して、所定の時刻にモータ１３を制御してスラット１５の姿勢を変えるようになっている。
【００５９】
また、前記防音部材１の周辺明暗を感知する照度センサー５２を備えてもよく、図２０に示すように、前記方位角センサー５１と照度センサー５２を制御器２２と一体に形成してもよい。
【００６０】
前記方位角センサー５１は、防音部材１が地面に設置される方向と同方向に配設されて、防音部材１が配設される正確な位置と方向に関する信号を制御器２２に送信することができる。
【００６１】
前記方位角センサー５１からの信号を受信した制御器２２が防音部材１の位置及び方向を把握して、防音部材１の位置及び方向を基準として太陽が移動する軌跡に関する情報に基づいてスラット１５の角度を時間帯別に変える。
【００６２】
換言すると、前記制御器２２には地球の方位角に応じてその地域の時刻に対応する太陽の軌跡に関する情報がデータベース化されているため、防音部材１の配設位置及び配設方向を基準として移動する太陽の位置を時間帯別に正確に判別することができ、スラット１５に取り付けられているソーラーセル１６への太陽光の投入量の最適化を実現することができる。
【００６３】
同じ方向に配設される防音部材１の方位角が同じであるため、一つの方位角センサー５１で十分であり、異なる方向に配設される防音部材１の方位角が防音部材の位置に応じて異なってくるため、同じ方向に向かう防音部材１を束ねてそれぞれ方位角センサー５１を配設することになる。
【００６４】
このため、前記モータ１３が制御器２２に内蔵されているプログラムにより駆動されることにより、上述した動力伝達手段によりスラット１５とソーラーセル１６の傾きが変わって設置場所、季節及び時間に応じて変化する太陽光の照射角に対応する。
【００６５】
前記防音部材１の周辺明暗を感知するように照度センサー５２または光センサーを用いて、日の入りや曇り天気により周りの暗さを感知すると制御器２２を初期化状態にリセットして電気の消耗を遮断し、日の出により周りの光を感知すると制御器２２を駆動して太陽光を集光することができる。
【００６６】
このような構成を有する本発明に係る太陽光発電機能を有する防音壁は、発電量を感知する発電量測定センサーの信号に基づいて制御器によりモータが制御されて太陽光を受光して電気を発生するソーラーセルが取り付けられているスラットの姿勢が変わるため、騒音の遮断を行うとともに、電気を容易に生産することができる。
【００６７】
また、２枚の透明板の間に電気を発生するソーラーセルなどが介設されるため、透明板の洗浄などの管理だけでソーラーセルの効率低下を防ぐことができてメンテナンスが極めて容易であり、太陽光発電機能を有する防音壁の外部にはみ出される構成要素がないため嵐や不意の車両追突により太陽光発電のための構成要素が容易に破損することはない。
【００６８】
特に、制御器がモータを制御して方位角センサーにより感知された方位角に応じてスラットの角度を所定の時刻に調整するため、方位角センサーにおいて感知された測定値に基づいて防音部材の位置及び方向を基準として太陽が移動する軌跡をデータベース化したプログラムを制御器に内蔵して、季節と時間、防音壁の設置方向及び場所に対応してスラットとソーラーセルの傾きを効率よく調整することができる。
【００６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７０】
１：防音部材、
２：支柱、
１ａ：透明板、
１ｂ：主枠体、
１１：副枠体、
１２：駆動軸、
１１ａ：ガイド部、
１２ａ：ドラム、
１３：モータ、
１３ａ：減速器、
１４：スラット駆動コード、
１５：スラット、
１５ａ：スラット軸、
１６：ソーラーセル、
２１：発電量測定センサー、
２２：制御器、
２３：インバーター、
３１：ピニオン、
３２：従動ギア、
３３：ラック、
４１：駆動ギア、
４２：アイドルギア、
４３：主リンク、
４４：副リンク、
４５：縦リンク、
５１：方位角センサー、
５２：照度センサー、
【図１】
2011052533.tif 000003
【図２】
2011052533.tif 000004
【図３】
2011052533.tif 000005
【図４】
2011052533.tif 000006
【図５】
2011052533.tif 000007
【図６】
2011052533.tif 000008
【図７】
2011052533.tif 000009
【図８】
2011052533.tif 000010
【図９】
2011052533.tif 000011
【図１０】
2011052533.tif 000012
【図１１】
2011052533.tif 000013
【図１２】
2011052533.tif 000014
【図１３】
2011052533.tif 000015
【図１４】
2011052533.tif 000016
【図１５】
2011052533.tif 000017
【図１６】
2011052533.tif 000018
【図１７】
2011052533.tif 000019
【図１８】
2011052533.tif 000020
【図１９】
2011052533.tif 000021
【図２０】
2011052533.tif 000022